(57)【特許請求の範囲】
【請求項１】
ビームフォーミング技法を使用して通信するように構成された複数のデバイスを有するワイヤレスネットワークにおいて、前記ワイヤレスネットワークの第１のデバイスから前記ワイヤレスネットワークの複数の第２のデバイスにトリガパケットを送ることと、ここにおいて、前記トリガパケットが、プリアンブル、プリコーディングされたデータ、および、トリガデータを含み、前記トリガデータは、前記トリガデータに基づいてチャネル測定を実行することを前記複数の第２のデバイスに行わせるように構成され、前記トリガデータは、プリコーディングされていない、全ての第２のデバイス向けのオムニデータを備え、ここにおいて、前記トリガパケットが、マルチユーザ多入力多出力（ＭＵ−ＭＩＭＯ）パケットを備え、前記オムニデータが前記ＭＵ−ＭＩＭＯパケットに付加される、
前記トリガパケットに応答して前記複数の第２のデバイスの各々からフィードバック情報を受信することと、ここにおいて、前記フィードバック情報が、前記フィードバック情報のために個々の第２のデバイスをポーリングすることなしに、前記複数の第２のデバイスの各々から受信される、
を備える方法。
【請求項２】
前記第１のデバイスが、前記第２のデバイスのうちの１つまたは複数にビームフォーミングされたデータを送るように構成されたアクセスポイント（ＡＰ）を備える、請求項１に記載の方法。
【請求項３】
前記第２のデバイスのうちの少なくとも１つが、前記第１のデバイスからビームフォーミングされたデータを受信するように構成された移動局を備える、請求項１に記載の方法。
【請求項４】
ワイヤレスネットワークの第２のデバイスにおいて、前記ワイヤレスネットワークの第１のデバイスからトリガパケットを受信することと、ここにおいて、前記ワイヤレスネットワークは、ビームフォーミング技法を使用して通信するように構成された複数のデバイスを含み、ここにおいて、前記トリガパケットが、プリアンブル、プリコーディングされたデータ、および、トリガデータを含み、前記トリガデータは、前記トリガデータに基づいてチャネル測定を実行することを前記複数の第２のデバイスに行わせるように構成され、前記トリガデータは、プリコーディングされていない、全ての第２のデバイス向けのオムニデータを備え、ここにおいて、前記トリガパケットが、マルチユーザ多入力多出力（ＭＵ−ＭＩＭＯ）パケットを備え、前記オムニデータが前記ＭＵ−ＭＩＭＯパケットに付加される、
前記トリガパケットを受信することに応答して、チャネル測定を実行することと、ここにおいて、前記チャネル測定は、前記トリガパケットに含まれる前記トリガデータに基づいて実行される、
前記第１のデバイスにフィードバック報告を送ることと、ここにおいて、前記フィードバック報告は、前記チャネル測定に基づくフィードバック情報を含み、前記フィードバック情報が、前記フィードバック情報のために個々の第２のデバイスをポーリングすることなしに、前記複数の第２のデバイスの各々から受信される、
を備える方法。
【請求項５】
前記第１のデバイスが、前記第２のデバイスのうちの１つまたは複数にビームフォーミングされたデータを送るように構成されたアクセスポイント（ＡＰ）を備える、請求項４に記載の方法。
【請求項６】
前記第２のデバイスのうちの少なくとも１つが、前記第１のデバイスからビームフォーミングされたデータを受信するように構成された移動局を備える、請求項４に記載の方法。
【請求項７】
請求項１乃至６のうちのいずれか一項に記載の方法を実行するための命令を備える、コンピュータプログラム。
【請求項８】
ワイヤレスネットワークの第２のデバイスにおいて、前記ワイヤレスネットワークの第１のデバイスからトリガパケットを受信するための手段と、ここにおいて、前記ワイヤレスネットワークは、ビームフォーミング技法を使用して通信するように構成された複数のデバイスを含み、ここにおいて、前記トリガパケットが、プリアンブル、プリコーディングされたデータ、および、トリガデータを含み、前記トリガデータは、前記トリガデータに基づいてチャネル測定を実行することを前記複数の第２のデバイスに行わせるように構成され、前記トリガデータは、プリコーディングされていない、全ての第２のデバイス向けのオムニデータを備え、ここにおいて、前記トリガパケットが、マルチユーザ多入力多出力（ＭＵ−ＭＩＭＯ）パケットを備え、前記オムニデータが前記ＭＵ−ＭＩＭＯパケットに付加される、
前記トリガパケットを受信することに応答して、チャネル測定を実行するための手段と、ここにおいて、前記チャネル測定は、前記トリガパケットに含まれる前記トリガデータに基づいて実行される、
前記第１のデバイスにフィードバック報告を送るための手段と、ここにおいて、前記フィードバック報告は、前記チャネル測定に基づくフィードバック情報を含み、前記フィードバック情報が、前記フィードバック情報のために個々の第２のデバイスをポーリングすることなしに、前記複数の第２のデバイスの各々から受信される、
を備える装置。
【請求項９】
前記第１のデバイスが、前記第２のデバイスのうちの１つまたは複数にビームフォーミングされたデータを送るように構成されたアクセスポイント（ＡＰ）を備える、請求項８に記載の装置。
【請求項１０】
前記第２のデバイスのうちの少なくとも１つが、前記第１のデバイスからビームフォーミングされたデータを受信するように構成された移動局を備える、請求項８に記載の装置。
【請求項１１】
ワイヤレスネットワークの複数の第２のデバイスに前記ワイヤレスネットワークの第１のデバイスからトリガパケットを送るための手段と、前記ワイヤレスネットワークは、ビームフォーミング技法を使用して通信するように構成された前記複数の第２のデバイスを有し、ここにおいて、前記トリガパケットは、プリアンブル、プリコーディングされたデータ、および、トリガデータを含み、前記トリガデータは、前記トリガデータに基づいてチャネル測定を実行することを前記複数の第２のデバイスに行わせるように構成され、前記トリガデータは、プリコーディングされていない、全ての第２のデバイス向けのオムニデータを備え、ここにおいて、前記トリガパケットが、マルチユーザ多入力多出力（ＭＵ−ＭＩＭＯ）パケットを備え、前記オムニデータが前記ＭＵ−ＭＩＭＯパケットに付加される、
前記トリガパケットに応答して、前記複数の第２のデバイスの各々からフィードバック情報を受信するための手段と、ここにおいて、前記フィードバック情報が、前記フィードバック情報のために個々の第２のデバイスをポーリングすることなしに、前記複数の第２のデバイスの各々から受信される、
を備える、装置。
【請求項１２】
前記第１のデバイスが、前記第２のデバイスのうちの１つまたは複数にビームフォーミングされたデータを送るように構成されたアクセスポイント（ＡＰ）を備える、請求項１１に記載の装置。
【請求項１３】
前記第２のデバイスのうちの少なくとも１つが、前記第１のデバイスからビームフォーミングされたデータを受信するように構成された移動局を備える、請求項１１に記載の装置。
【請求項１４】
前記フィードバック情報が、前記フィードバック情報のために個々の第２のデバイスをポーリングすることなしに、前記複数の第２のデバイスの各々から受信される、請求項１１に記載の装置。
【発明の詳細な説明】
【技術分野】
【０００１】
関連出願の相互参照
[0001]本出願は、その内容全体が参照により明確に組み込まれる、２０１３年９月１０日に出願された米国仮特許出願第６１／８７６，０３１号、および２０１４年８月１５日に出願された米国非仮特許出願第１４／４６０，４８５号の優先権を主張する。
【０００２】
[0002]本開示は、一般に、マルチユーザ多入力多出力（ＭＵ−ＭＩＭＯ）システムにおいてフィードバック情報を通信するためのプロトコルに関する。
【背景技術】
【０００３】
[0003]技術の進歩は、より小型でより強力なコンピューティングデバイスをもたらした。たとえば、現在、小型で、軽量で、ユーザによって容易に持ち運ばれる、ポータブルワイヤレス電話、携帯情報端末（ＰＤＡ）、およびページングデバイスなど、ワイヤレスコンピューティングデバイスを含む、様々なポータブルパーソナルコンピューティングデバイスが存在する。より具体的には、セルラー電話およびインターネットプロトコル（ＩＰ）電話などのポータブルワイヤレス電話は、ワイヤレスネットワークを介して音声およびデータパケットを通信することができる。さらに、多くのそのようなワイヤレス電話は、その中に組み込まれた他のタイプのデバイスを含む。たとえば、ワイヤレス電話は、デジタルスチルカメラ、デジタルビデオカメラ、デジタルレコーダ、およびオーディオファイルプレーヤをも含むことができる。また、そのようなワイヤレス電話は、インターネットにアクセスするために使用され得る、ウェブブラウザアプリケーションなど、ソフトウェアアプリケーションを含む、実行可能な命令を処理することができる。したがって、これらのワイヤレス電話はかなりの計算能力を含むことができる。
【０００４】
[0004]ワイヤレス電話および他のワイヤレスデバイスが使用するための様々なワイヤレスプロトコルおよび規格が利用可能であり得る。たとえば、一般に「Ｗｉ−Ｆｉ（登録商標）」と呼ばれる電気電子技術者協会（ＩＥＥＥ）８０２．１１は、ワイヤレスローカルエリアネットワーク（ＷＬＡＮ）通信プロトコルの規格化されたセットである。選択されたＷｉ−Ｆｉプロトコルはマルチユーザ多入力多出力（ＭＵ−ＭＩＭＯ）データ通信をサポートする。ＭＵ−ＭＩＭＯでは、送信デバイスは、単一のパケット中で複数の受信デバイスのためのデータを送信することができる。性能を改善するために、各受信デバイスのためのデータは、受信デバイスによって送信デバイスに与えられたフィードバック（たとえば、チャネル状態）情報に基づいて（たとえば、プリコーディングを介して）ビームフォーミングされ得る。
【０００５】
[0005]フィードバック情報を収集するために、送信デバイスは、フィードバック情報のために個々に各受信デバイスをポーリングすることを伴うサウンディングプロトコルを使用し得る。たとえば、送信デバイスは、受信デバイスを識別する告知パケットを送信し得る。チャネル測定を実行した後、第１の識別された受信デバイスは、送信デバイスに第１のフィードバックパケットを送り得る。送信デバイスが第１のフィードバックパケットを受信した後、送信デバイスは、送信デバイスに第２のフィードバックパケットを送ることを第２の受信デバイスに行わせるポーリングパケットを第２の受信デバイスに送り得る。このポーリングパケット−フィードバックパケットサイクルは、すべての識別された受信デバイスからのフィードバックパケットが送信デバイスによって受信されるまで、各追加の受信デバイスのために続き得る。さらに、フィードバック収集プロセスは頻繁に（たとえば、１０または２０ミリ秒ごとに１回）繰り返され得る。
【発明の概要】
【０００６】
[0006]高効率Ｗｉ−Ｆｉ（ＨＥＷ）は、ある使用事例における効率および動作性能を改善するために、Ｗｉ−Ｆｉ規格の潜在的更新および改訂を検討するためのＩＥＥＥ８０２．１１研究グループ（ＳＧ）である。ＨＥＷはＭＵ−ＭＩＭＯデータ通信をサポートし得る。しかしながら、フィードバック情報のために個々に受信デバイスをポーリングすることを伴う、他のＷｉ−Ｆｉ規格において使用されるサウンディングプロトコルは、ＨＥＷにとって好適でないことがある（たとえば、非効率的であり得る）。
【０００７】
[0007]本開示は、ＭＵ−ＭＩＭＯシステムにおいてフィードバック情報を受信するための改善されたプロトコルを提示する。個々にデバイスをポーリングする代わりに、ワイヤレスネットワークの第１のデバイス（たとえば、アクセスポイント）は、ワイヤレスネットワークの１つまたは複数の第２のデバイス（たとえば、移動局）に送られるパケットにトリガデータを付加し得る。ワイヤレスネットワークは、ビームフォーミング技法を使用して通信するように構成された複数のデバイスを含み得る。第１のデバイスは「ビームフォーマ」として動作するように構成され得、第２のデバイスは「ビームフォーミー（beamformee）」として動作するように構成され得る。本明細書で使用するビームフォーマは、各受信デバイスがパケットを復号／処理するとき、受信デバイスを対象とするデータが第１の電力レベルを有し、他の受信デバイスを対象とするデータが、第１の電力レベルよりも低い第２の電力レベルを有するようにパケットを生成し、複数の受信デバイスに送信するために、ビームフォーミング技法（たとえば、プリコーディング）を使用するように構成されたデバイスである。ビームフォーミーは、ビームフォーマから受信されたビームフォーミングされたパケットを受信し、復号／処理するように構成された受信デバイスである。ビームフォーマとビームフォーミーとの間の区別が限定と見なされるべきでないことに留意されたい。ワイヤレスネットワークにおける特定のデバイスは、ビームフォーマならびにビームフォーミーとして働くことが可能であり得る。一例では、トリガデータは、ＭＵ−ＭＩＭＯパケットの末尾に付加された１つまたは複数の非プリコード（たとえば、非ビームフォーミング）ロングトレーニングフィールド（ＬＴＦ：long training field）を含む。トリガデータはプリコーディング／ビームフォーミングされないので、トリガデータは、パケット中のビームフォーミングされたＭＵ−ＭＩＭＯデータの予定受信者でない移動局を含む、パケットを受信したすべての移動局に、チャネル推定を実行することを行わせ得る。
【０００８】
[0008]移動局は、移動局が、アクセスポイントを送るべきデータを有するとき、および／または移動局が、チャネル状態が前のフィードバック報告と比較して十分に変化したと決定したとき、アクセスポイントにフィードバック情報を与え得る。必要な場合、アクセスポイントは個々の移動局にフィードバック情報を要求することができる。いくつかの実装形態では、移動局は、チャネル状態が十分に変化したとき、データまたは肯定応答パケットにフィードバック情報をピギーバックし得る。
【０００９】
[0009]特定の実施形態では、方法は、ビームフォーミング技法を使用して通信するように構成された複数のデバイスを有するワイヤレスネットワークにおいて、ワイヤレスネットワークの第１のデバイスからワイヤレスネットワークの複数の第２のデバイスにトリガパケットを送ることを含む。トリガパケットは、トリガデータに基づいてチャネル測定を実行することを複数の第２のデバイスに行わせるように構成されたトリガデータを含む。本方法はまた、トリガパケットに応答して複数の第２のデバイスの各々からフィードバック情報を受信することを含む。
【００１０】
[0010]別の特定の実施形態では、方法は、ワイヤレスネットワークの第２のデバイスにおいて、ワイヤレスネットワークの第１のデバイスからトリガパケットを受信することを含む。ワイヤレスネットワークは、ビームフォーミング技法を使用して通信するように構成された複数のデバイスを含む。本方法はまた、トリガパケットを受信したことに応答してチャネル測定を実行することを含み、ここで、チャネル測定が、トリガパケット中に含まれるトリガデータに基づいて実行される。本方法は、第１のデバイスにフィードバック報告を送ることをさらに含み、ここで、フィードバック報告が、チャネル測定に基づくフィードバック情報を含む。
【００１１】
[0011]別の特定の実施形態では、方法は、ビームフォーミング技法を使用して通信するように構成された複数のデバイスを有するワイヤレスネットワークを介して、ワイヤレスネットワークの第１のデバイスからワイヤレスネットワークの第２のデバイスにパケットを送ることを含む。パケットは、パケットのデータ部分に続く少なくとも１つのロングトレーニングフィールド（ＬＴＦ）を含む。
【００１２】
[0012]別の特定の実施形態では、方法は、ビームフォーミング技法を使用して通信するように構成された複数のデバイスを有するワイヤレスネットワークにおいて、肯定応答（ＡＣＫ）パケットを生成し、ワイヤレスネットワークの第２のデバイスからワイヤレスネットワークの第１のデバイスに送ることを含む。ＡＣＫパケットは、第２のデバイスへのビームフォーミングされた送信のためのデータをプリコーディングするために使用可能であるフィードバック情報を含む。
【００１３】
[0013]開示する実施形態のうちの少なくとも１つによって与えられる１つの特定の利点は、他のデバイスを個々にポーリングすることなしに、第１のデバイス（たとえば、アクセスポイント）が複数の他のデバイス（たとえば、移動局）からフィードバック情報を収集することを可能にするプロトコルである。本開示の他の態様、利点、および特徴は、以下のセクション、すなわち、図面の簡単な説明と、発明を実施するための形態と、特許請求の範囲とを含む本出願全体の検討の後に明らかになろう。
【図面の簡単な説明】
【００１４】
【図１】[0014]フィードバック情報を通信するように動作可能であるマルチユーザ多入力多出力（ＭＵ−ＭＩＭＯ）システムの特定の実施形態を示すための図。
【図２】[0015]パケットの末尾にある非プリコードロングトレーニングフィールドを送信することの一例を示すためのタイミング図。
【図３】[0016]非プリコードロングトレーニングフィールドを送信することの別の例を示すためのタイミング図。
【図４】[0017]ビームフォーミング技法を使用してデータを送信するように構成されたデバイスにおける動作方法の特定の実施形態を示すためのフローチャート。
【図５】[0018]ビームフォーミング技法を使用してデータを受信するように構成されたデバイスにおける動作方法の特定の実施形態を示すためのフローチャート。
【図６】[0019]本明細書で開示する１つまたは複数の方法、システム、装置、および／またはコンピュータ可読媒体の様々な実施形態をサポートするように動作可能であるワイヤレスデバイスの図。
【発明を実施するための形態】
【００１５】
[0020]図１を参照すると、フィードバック情報を通信するように動作可能であるマルチユーザ多入力多出力（ＭＵ−ＭＩＭＯ）システムが示されており、全体的に１００と示されている。システム１００は、ワイヤレスネットワーク１５０を介して複数のモバイルデバイス（たとえば、移動局（ＳＴＡ））１２０、１３０、および１４０とワイヤレス通信するように構成された第１のデバイス（たとえば、アクセスポイント）１１０を含む。ワイヤレスネットワーク１５０は、ビームフォーミング技法を使用して通信するように構成された複数のデバイス（たとえば、デバイス１１０、１２０、１３０、および１４０）を含み、および／またはそれらに結合され得る。特定の実施形態では、第１のデバイス１１０はビームフォーマであり得、デバイス１２０、１３０、および１４０はビームフォーミーであり得る。本明細書で使用するビームフォーマは、各受信デバイスがパケットを復号／処理するとき、受信デバイスを対象とするデータが第１の電力レベルを有し、他の受信デバイスを対象とするデータが、第１の電力レベルよりも低い第２の電力レベルを有するようにパケットを生成し、複数の受信デバイスに送信するために、ビームフォーミング技法（たとえば、プリコーディング）を使用するように構成されたデバイスである。ビームフォーミーは、ビームフォーマから受信されたビームフォーミングされたパケットを受信し、復号／処理するように構成された受信デバイスである。代替実施形態では、異なる数のビームフォーマおよびビームフォーミーがシステム１００中に存在し得る。ビームフォーマとビームフォーミーとの間の区別が限定と見なされるべきでないことに留意されたい。ワイヤレスネットワークにおける特定のデバイスは、（たとえば、ビームフォーミングされたデータを送る）ビームフォーマならびに（たとえば、ビームフォーミングされたデータを受信する）ビームフォーミーとして働くことが可能であり得る。
【００１６】
[0021]特定の実施形態では、ワイヤレスネットワーク１５０は、電気電子技術者協会（ＩＥＥＥ）８０２．１１ワイヤレスネットワーク（たとえば、Ｗｉ−Ｆｉネットワーク）である。たとえば、ワイヤレスネットワーク１５０は、ＩＥＥＥ８０２．１１規格に従って動作し得る。例示的な一実施形態では、ワイヤレスネットワーク１５０は８０２．１１高効率Ｗｉ−Ｆｉ（ＨＥＷ）ネットワークである。ワイヤレスネットワーク１５０は、アップリンク（ＵＬ）方向とダウンリンク（ＤＬ）方向の両方におけるＭＵ−ＭＩＭＯデータ送信をサポートする。本明細書で使用するＵＬ通信はＳＴＡ−ＡＰ通信を指し、ＤＬ通信はＡＰ−ＳＴＡ通信を指す。特定の実施形態では、ワイヤレスネットワーク１５０はまた、ＵＬおよびＤＬ多元接続通信をサポートする。たとえば、ワイヤレスネットワーク１５０はＵＬおよびＤＬ直交周波数分割多元接続（ＯＦＤＭＡ）通信をサポートし得る。
【００１７】
[0022]特定の実施形態では、第１のデバイス１１０は、プロセッサ１１１（たとえば、中央処理ユニット（ＣＰＵ）、デジタル信号プロセッサ（ＤＳＰ）、ネットワーク処理ユニット（ＮＰＵ）など）と、メモリ１１２（たとえば、ランダムアクセスメモリ（ＲＡＭ）、読取り専用メモリ（ＲＯＭ）など）と、ワイヤレスネットワーク１５０を介してデータを送信および受信するように構成されたワイヤレスインターフェース１１５とを含む。メモリ１１２は、第１のデバイス１１０のレンジ内の１つまたは複数の局から受信されたフィードバック情報１１３（たとえば、チャネル状態情報）を記憶し得る。フィードバック情報１１３は、局のグループにＭＵ−ＭＩＭＯパケットを送るより前に、プリコーディング行列を導出し、プリコーディング行列を使用してＭＵ−ＭＩＭＯパケット（またはそれの部分）をプリコーディングするために、ビームフォーミングモジュール１１４によって使用され得る。
【００１８】
[0023]システム１００におけるデバイス１２０、１３０、および１４０ならびに他の移動局１４５は、それぞれ、プロセッサ（たとえば、プロセッサ１２１）と、メモリ（たとえば、メモリ１２２）と、チャネル測定モジュール（たとえば、チャネル測定モジュール１２４）と、ワイヤレスインターフェース（たとえば、ワイヤレスインターフェース１２５）とを含み得る。チャネル測定モジュール１２４は、フィードバック情報１２３（たとえば、チャネル状態情報）を決定するように構成され得る。図示のように、フィードバック情報１２３はメモリ１２２に記憶され得る。
【００１９】
[0024]動作中、ＭＵ−ＭＩＭＯ通信は、第１のデバイス１１０と受信デバイスの１つまたは複数のグループとの間で行われ得る。たとえば、デバイス１２０、１３０、および１４０は特定のビームフォーミンググループの一部であり得る。他の移動局１４５はビームフォーミンググループ中にないことがある。第１のデバイス１１０はデバイス１２０、１３０、および１４０にＭＵ−ＭＩＭＯデータパケット１６５を送信し得る。ＭＵ−ＭＩＭＯデータパケット１６５は、ビームフォーミンググループの各デバイス１２０、１３０、および１４０のためのプリコーディングされたデータを含み得る。たとえば、ＭＵ−ＭＩＭＯデータパケット１６５の復号／処理中に、第２のデバイス１２０は、第２のデバイス１２０のためにプリコーディングされたパケット１６５の部分に対応するより強い信号を検出し得る。第２のデバイス１２０は、ビームフォーミンググループの他のデバイスのためにプリコーディングされたパケット１６５の部分に対応するより弱い信号を検出し得る。
【００２０】
[0025]ＭＵ−ＭＩＭＯデータパケット１６５をプリコーディングする際に使用するためのプリコーディング行列を決定するために、第１のデバイス１１０は、トリガデータを含むトリガパケット１６０を送信し得る。トリガデータは、チャネル測定を実行することを受信局に行わせ得る。一例では、トリガデータは、プリコーディングされない１つまたは複数のオムニロングトレーニングフィールド（オムニＬＴＦ）を含む。オムニＬＴＦはプリコーディングされないので、オムニＬＴＦは他の局１４５ならびに受信デバイス１２０、１３０、および１４０によって復号／処理され得る。特定の実施形態では、トリガパケット１６０は、図２に関して説明するように、ＭＵ−ＭＩＭＯパケットである。別の特定の実施形態では、トリガパケット１６０は、図３に関してさらに説明するように、送信可（ＣＴＸ：clear to transmit）パケットである。代替実施形態では、トリガデータは他のタイプのパケット中で送信され得る。特定の実施形態では、トリガデータは第１のデバイス１１０によって間欠的に送信され得る。代替的に、トリガデータは、ＭＵ−ＭＩＭＯデータが受信デバイスのグループに送られるべきであると決定したことに応答して、第１のデバイス１１０によって送信され得る。
【００２１】
[0026]トリガパケット１６０を受信したことに応答して、デバイス１２０、１３０、１４０および他の局１４５のうちの１つまたは複数はチャネル測定（たとえば、チャネル推定）を実行し得る。（１つまたは複数の）オムニＬＴＦはチャネル測定プロセス中に使用され得る。各デバイス／局は、フィードバック報告１６２において第１のデバイス１１０にフィードバック情報を与え得る。特定の実施形態では、少なくとも１つのビームフォーミンググループの一部である局のみが第１のデバイス１１０にフィードバック報告１６２を与える。別の特定の実施形態では、ＭＵ−ＭＩＭＯデータを送られる局のみがフィードバック報告１６２を与える。たとえば、トリガパケット１６０は、ビームフォーミンググループのデバイス１２０、１３０、および１４０の各々のためのデータを含む第１のＭＵ−ＭＩＭＯデータパケットであり得る。第１のＭＵ−ＭＩＭＯデータパケットはまた、追加のデータ（たとえば、後続のＭＵ−ＭＩＭＯデータパケット１６５中に含まれるデータ）が、デバイス１２０および１３０のために存在し、デバイス１４０のために存在しないことを示し得る。それに応じて、デバイス１２０および１３０は第１のデバイス１１０にフィードバック報告を与え得るが、デバイス１４０は第１のデバイス１１０にフィードバック報告を与えないことがある。
【００２２】
[0027]特定の実施形態では、局は、図２に関してさらに説明するように、単一の肯定応答（ＡＣＫ）パケットの一部としてフィードバック報告を与える。代替実施形態では、複数の局は、図３に関してさらに説明するように、単一のＵＬ  ＯＦＤＭＡもしくはＵＬ  ＭＵ−ＭＩＭＯデータまたはＡＣＫパケット中でフィードバック報告を与える。他の実施形態では、フィードバック報告は他のタイプのパケット中で与えられ得る。
【００２３】
[0028]特定の実施形態では、フィードバック報告１６２は、完全なフィードバック情報を含まない差分フィードバック報告である。代わりに、スペースを節約するために、差分フィードバック報告は、前に送信されたフィードバック報告に関するデルタ（たとえば、変化）情報を含む。特定の実施形態では、局は、フィードバック情報が前のフィードバック報告に対して十分に変化していない（たとえば、デルタ情報がしきい値を超えない）限り、フィードバック情報を与えない。一例では、しきい値は平均２乗誤差（ＭＳＥ）しきい値であり得る。
【００２４】
[0029]複数のフィードバック報告状態が組み合わせられ得ることに留意されたい。たとえば、局は、追加のデータが局のために来つつあり、フィードバックデルタ情報がしきい値を超えない限り、オムニＬＴＦを受信したことに応答してフィードバック報告を与えないことがある。
【００２５】
[0030]特定の実施形態では、第１のデバイス１１０はまた、フィードバック情報のために個々の局をポーリングする能力を有し得る。たとえば、第１のデバイス１１０は特定の局にポールパケット１６６を送信し得る。ポールパケット１６６を受信したことに応答して、特定の局は第１のデバイス１１０にフィードバック報告１６２を与え得る。
【００２６】
[0031]特定の実施形態では、トリガパケット１６０は、第１のデバイス１１０がトリガパケット１６０のソースであることを識別し得る。それのソースの識別子を含むことによって、トリガパケット１６０は、第１のデバイス１１０に関連しない局が不要なチャネル測定動作を実行することを防ぎ得る。一例では、トリガパケット１６０の高効率Ｗｉ−Ｆｉ信号（ＨＥＷ−ＳＩＧ）フィールドは、（たとえば、メディアアクセス制御（ＭＡＣ）アドレス、基本サービスセット識別子（ＢＳＳＩＤ）、別の識別子などによって）第１のデバイス１１０を識別する。
【００２７】
[0032]（１つまたは複数の）フィードバック報告１６２を受信した後、第１のデバイス１１０は、フィードバック情報１１３として、（１つまたは複数の）フィードバック報告１６２中に含まれるフィードバック情報を記憶し得る。第１のデバイス１１０はまた、ＭＵ−ＭＩＭＯデータパケット１６５を生成するために、プリコーディング（たとえば、ビームフォーミング）行列を導出し、使用し得る。たとえば、第１のデバイス１１０は、ＭＵ−ＭＩＭＯデータパケット１６５を生成する際にデバイス１２０、１３０、および１４０によって与えられたフィードバック情報を使用し得る。第１のデバイス１１０はデバイス１２０、１３０、および１４０にＭＵ−ＭＩＭＯデータパケット１６５を送信し得る。第１のデバイス１１０は、更新されたフィードバック情報がデバイス１２０、１３０、または１４０のいずれかから受信されるまで、同じプリコーディング行列を使用し続け得る。上記で説明したように、そのような更新されたフィードバック情報は必要に応じて受信され得る。
【００２８】
[0033]したがって、図１のシステム１００は、第１のデバイス１１０と個々のデバイス１２０、１３０、および１４０との間のポーリング交換なしのフィードバック情報の収集を示す。さらに、トリガパケット１６０中に含まれるトリガデータ（たとえば、オムニＬＴＦ）はまた、チャネル測定を実行することをビームフォーミンググループのメンバーでない局（たとえば、移動局１４５）に行わせ得る。そのような局が将来においてビームフォーミンググループに加入する場合、局は、第１のデバイス１１０がチャネル測定を実行するように局に要求する必要なしに、第１のデバイスにフィードバック報告を与えることができる。したがって、図１のシステム１００は、ＭＵ−ＭＩＭＯ通信のためにフィードバック情報を収集することに関連する、メッセージングオーバーヘッドおよびワイヤレス媒体輻輳を減少させ得る。
【００２９】
[0034]図２は、パケットの末尾にあるオムニＬＴＦを送信することの一例を示すためのタイミング図であり、全体的に２００と示されている。図２では、左から右への水平軸は時間に対応する。
【００３０】
[0035]図２に示されているように、ＡＰ（たとえば、図１の第１のデバイス１１０）は、複数の移動局（たとえば、「ＳＴＡ１」、「ＳＴＡ２」、および「ＳＴＡ３」と示された移動局）にパケットを送信し得る。パケットは、ＨＥＷプリアンブル２０２と、ＭＵ−ＭＩＭＯデータ２０４と、ＭＵ−ＭＩＭＯデータに続く１つまたは複数のオムニＬＴＦとを含むＨＥＷパケットであり得る。特定の実施形態では、ＨＥＷプリアンブル２０２は、プリコーディングされない１つまたは複数のレガシーフィールドを含む。たとえば、ＨＥＷプリアンブル２０２は、レガシーショートトレーニングフィールド（Ｌ−ＳＴＦ）と、レガシーロングトレーニングフィールド（Ｌ−ＬＴＦ）と、レガシー信号（Ｌ−ＳＩＧ）フィールドとを含み得る。Ｌ−ＳＴＦ、Ｌ−ＬＴＦ、およびＬ−ＳＩＧフィールドは、まとめてレガシープリアンブルと呼ばれることがある。特定の実施形態では、レガシープリアンブルは、レガシーデバイス（たとえば、非ＨＥＷデバイス）が、レガシープリアンブルに続くパケットの部分を処理することができなくても、レガシーデバイスがパケットを検出することを可能にする。限定はしないが、レガシーデバイスの例としてはＩＥＥＥ８０２．１１／ｂ／ｇ／ｎ／ａｃデバイスがあり得る。レガシーデバイスが、レガシープリアンブルに続くパケットの部分を処理することが可能でなくても、レガシーデバイスがパケットの持続時間中にワイヤレス媒体を輻輳させることを防ぐために、レガシープリアンブルが使用され得る。たとえば、レガシープリアンブルは持続時間フィールドを含み得、レガシーデバイスは持続時間フィールドによって示された持続時間の間媒体を輻輳させるのを控え得る。
【００３１】
[0036]ＨＥＷプリアンブル２０２は、ＳＴＡ１、ＳＴＡ２、またはＳＴＡ３のためにプリコーディングされたフィールドをも含み得る。たとえば、ＨＥＷプリアンブル２０２は、プリコーディングされたＭＵ−ＭＩＭＯデータ２０４の対応する部分を復号するためにＳＴＡ１、ＳＴＡ２、およびＳＴＡ３によって使用され得るプリコーディングされたＬＴＦを含み得る。
【００３２】
[0037]特定の実施形態では、ＨＥＷプリアンブル２０２は、オムニＬＴＦ２０６がＭＵ−ＭＩＭＯデータ２０４に続くことを示す。たとえば、ＨＥＷプリアンブル２０２は、いくつのオムニＬＴＦ２０６がＭＵ−ＭＩＭＯデータ２０４に続くかを示し得る。代替的に、ワイヤレス規格またはプロトコル（たとえば、ＩＥＥＥ８０２．１１規格またはプロトコル）は、（１つまたは複数の）オムニＬＴＦが、いくつかのタイプのパケット中でＭＵ−ＭＩＭＯデータに続くことを要求し得る。図１に関して説明するように、ＨＥＷプリアンブル２０２はまた、パケットの送信元を識別し（たとえば、ＡＰの識別子を含み得）、パケットの予定受信者（たとえば、ＳＴＡ１、ＳＴＡ２、およびＳＴＡ３）を識別し得る。
【００３３】
[0038]オムニＬＴＦ２０６を受信すると、受信局ＳＴＡ１、ＳＴＡ２、およびＳＴＡ３は、チャネル測定を実行し、および／またはＡＰにフィードバック情報を送信し得る。図２の例では、局の各々は、それぞれ、ＡＣＫパケット２０８、２１０、および２１２中にフィードバック情報を含む。一例では、図１に関して説明するように、フィードバック情報は差分フィードバック情報である。図２は、局のうちの３つすべてがフィードバック情報を与えることを示すが、これは例にすぎないことに留意されたい。いくつかの実施形態では、１つまたは複数の状態が満たされる場合（たとえば、ＨＥＷプリアンブル２０２が、追加のデータが局のために来つつあることを示し、チャネル状態情報が前のフィードバック報告以来十分に変更されたとき）、局はフィードバック情報を与える。特定の実施形態では、局ＳＴＡ１、ＳＴＡ２、およびＳＴＡ３は、衝突回避機構（たとえば、送信要求／送信可（clear to send）機構または何らかの他の機構）を使用することによって、ＡＣＫパケット２０８、２１０、２１２を送信する際の衝突を回避する。特定の実施形態では、ＭＵ−ＭＩＭＯグループの局がフィードバック報告を与える順序は、トリガパケット中に含まれるデータによって決定される。たとえば、（たとえば、ＨＥＷプリアンブル２０２中に含まれる）ＳＩＧフィールドは、グループ識別子（ＧＩＤ）（たとえば、６のＧＩＤ）を含み得る。ＭＵ−ＭＩＭＯグループ中の局（たとえば、ＳＴＡ１、ＳＴＡ２、およびＳＴＡ３）は、ＧＩＤに基づいて、それらがどんな順序でフィードバック報告を与えるべきであるかを決定し得る。例示のために、６に等しいＧＩＤに基づいて、局は、フィードバックの順序（たとえば、ＭＵ−ＭＩＭＯグループ中のそれらの相対順序付け）が、ＳＴＡ１、次いでＳＴＡ２、次いでＳＴＡ３であると決定し得る。
【００３４】
[0039]特定の実施形態では、１つまたは複数のＳＴＦは、ＭＵ−ＭＩＭＯデータ２０４の後に、およびオムニＬＴＦ２０６の前に含まれ得る。たとえば、（１つまたは複数の）ＳＴＦは、局ＳＴＡ１、ＳＴＡ２、およびＳＴＡ３における増加受信機利得を与え得る。図２は、オムニＬＴＦ２０６がパケットの末尾に付加されることを示すが、代替実施形態では、オムニＬＴＦはパケットの別の部分中に含まれ得ることに留意されたい。
【００３５】
[0040]図３は、オムニＬＴＦを送信することの別の例を示すためのタイミング図であり、全体的に３００と示されている。図３では、左から右への水平軸は時間に対応する。
【００３６】
[0041]図３に示されているように、ＡＰは、局ＳＴＡ１、ＳＴＡ２、およびＳＴＡ３に送信可（ＣＴＸ）パケット３０２を送信し得る。ＣＴＸパケット３０２は１つまたは複数のオムニＬＴＦを含み得る。ＣＴＸパケット３０２は、ワイヤレス媒体がアップリンク（ＵＬ）データの送信のために利用可能であることを局ＳＴＡ１、ＳＴＡ２、およびＳＴＡ３に示すためにＡＰによって送られ得る。
【００３７】
[0042]ＣＴＸパケット３０２に応答して、局ＳＴＡ１、ＳＴＡ２、およびＳＴＡ３は局にＵＬデータ３０４を送り得る。各局からのＵＬデータ３０４は、図示のように、互いに多重化され得る。たとえば、ＵＬデータ３０４は、（１つまたは複数の）ＯＦＤＭＡパケットおよび／または（１つまたは複数の）ＵＬ  ＭＵ−ＭＩＭＯパケットを使用して送られ得る。ＵＬデータ３０４は局のうちの１つまたは複数からのフィードバック報告をも含み得る。
【００３８】
[0043]ＵＬデータ３０４を受信すると、ＡＰは局にダウンリンク（ＤＬ）ＡＣＫ３０６を送り得る。特定の実施形態では、ＤＬ  ＡＣＫは（１つまたは複数の）ＤＬ  ＭＵ−ＭＩＭＯパケットを使用して送られる。ＡＰはまた、局にＤＬデータ３０８を送り得、ここで、ＤＬデータは、ＵＬデータ３０４中に含まれる（１つまたは複数の）フィードバック報告に基づいて各個々の局のためにプリコーディングされる。たとえば、ＤＬデータ３０８は、図２のオムニＬＴＦ２０６など、オムニＬＴＦを含む（１つまたは複数の）ＤＬ  ＭＵ−ＭＩＭＯパケットを使用して送られ得る。
【００３９】
[0044]ＤＬデータ３０８を受信したことに応答して、局はＵＬ  ＡＣＫ  ３１０を送信し得る。特定の実施形態では、ＵＬ  ＡＣＫは、（１つまたは複数の）ＯＦＤＭＡおよび／またはＵＬ  ＭＵ−ＭＩＭＯパケットを使用して送信され、ＤＬデータ３０８とともに含まれるオムニＬＴＦに基づくフィードバック報告を含む。
【００４０】
[0045]したがって、図２〜図３は、フィードバック情報のために個々の局をポーリングする必要なしにフィードバック情報を収集することの実施形態を示す。フィードバック情報は、ＡＣＫパケットおよびデータパケットなど様々なタイプのパケット上に「ピギーバック」され（たとえば、その中に含まれ）得る。オムニＬＴＦは、パケットの末尾に含まれるか、またはパケットの別の部分（たとえば、レガシーフィールドなど、他の非プリコードフィールドを含むプリアンブルの「オムニ」部分）中に含まれ得る。同じグループの局に関する反復ＭＵ−ＭＩＭＯ送信は、１０〜２０ミリ秒ごとにフィードバック情報のためにポーリングサイクルを行うことなしに実行され得る。
【００４１】
[0046]フィードバック情報を収集することの様々な他の実施形態が本開示に従って実装され得ることに留意されたい。たとえば、デバイス（たとえば、アクセスポイント）は、ビーコンフレーム中にオムニＬＴＦ（または他のトリガデータ）を周期的に入れ得る。別の例として、局は、省電力（ＰＳ）ポールフレーム中にフィードバック情報を含み得る。特定の実施形態では、特定のビームフォーミンググループ（たとえば、局のグループ）の構造が変化するか、または新しいビームフォーミンググループが形成されたとき、デバイスは、初期送信中に使用するために保守的な変調およびコーディング方式（ＭＣＳ：modulation and coding scheme）を選択し得る。デバイスはまた、既存のフィードバック情報が十分に新しい（たとえば、しきい値時間期間内に受信された）とき、変更された／新しいビームフォーミンググループ中の局からの既存の（たとえば、前に受信した）フィードバック情報を使用し得る。
【００４２】
[0047]図４は、ビームフォーミング技法を使用してデータを送信するように構成されたデバイスにおける動作方法４００の特定の実施形態を示すためのフローチャートである。例示的な一実施形態では、方法４００は図１の第１のデバイス１１０によって実行され得る。
【００４３】
[0048]方法４００は、４０２において、ビームフォーミング技法を使用して通信するように構成された複数のデバイスを有するワイヤレスネットワークにおいて、ワイヤレスネットワークの第１のデバイスからワイヤレスネットワークの複数の第２のデバイスにトリガパケットを送ることを含み得る。トリガパケットは、トリガデータ（たとえば、オムニＬＴＦ）に基づいてチャネル測定を実行することを複数の第２のデバイスに行わせるように構成されたトリガデータを含み得る。たとえば、図１では、第１のデバイス１１０は、デバイス１２０、１３０、および１４０にトリガパケット１６０を送信し得る。
【００４４】
[0049]方法４００はまた、４０４において、トリガパケットに応答して複数の第２のデバイスの各々からフィードバック情報を受信することを含み得る。フィードバック情報は、フィードバック情報のために個々の第２のデバイスをポーリングすることなしに受信され得る。たとえば、図１では、第１のデバイス１１０は、デバイス１２０、１３０、および１４０からフィードバック報告１６２を受信し得る。
【００４５】
[0050]方法４００は、４０６において、複数の第２のデバイスに少なくとも１つのＭＵ−ＭＩＭＯパケットを送ることをさらに含み得る。少なくとも１つのＭＵ−ＭＩＭＯパケットは特定の第２のデバイスのためのデータを含み得、ここで、特定の第２のデバイスのためのデータは、特定の第２のデバイスから受信されたフィードバック情報に基づいてプリコーディングされる。たとえば、図１では、第１のデバイス１１０は、デバイス１２０、１３０、および１４０にＭＵ−ＭＩＭＯデータパケット１６５を送り得る。
【００４６】
[0051]図５は、ビームフォーミング技法を使用してデータを受信するように構成されたデバイスにおける動作方法５００の特定の実施形態を示すためのフローチャートである。例示的な一実施形態では、方法５００は図１の第２のデバイス１２０によって実行され得る。
【００４７】
[0052]方法５００は、５０２において、ビームフォーミング技法を使用して通信するように構成された複数のデバイスを有するワイヤレスネットワークにおいて、ワイヤレスネットワークの第１のデバイスからのトリガパケットをワイヤレスネットワークの第２のデバイスにおいて受信することを含み得る。たとえば、図１では、第２のデバイス１２０は、第１のデバイス１１０からトリガパケット１６０を受信し得る。
【００４８】
[0053]方法５００はまた、５０４において、トリガパケットを受信したことに応答してチャネル測定を実行することを含み得る。チャネル測定は、トリガパケット中に含まれるトリガデータ（たとえば、オムニＬＴＦ）に基づいて実行され得る。たとえば、図１では、第２のデバイス１２０は、トリガパケット１６０中に含まれるオムニＬＴＦに基づいてチャネル測定を実行し得る。
【００４９】
[0054]方法５００は、５０６において、第２のデバイスのための追加のデータが第１のデバイスから来つつあるかどうかを決定することをさらに含み得る。追加のデータが来つつある場合、方法５００は、５０８において、フィードバックデルタ（たとえば、前のフィードバック報告からのチャネル状態の変化）がしきい値よりも大きいどうかを決定することを含み得る。追加のデータが来つつない場合、またはフィードバックデルタがしきい値よりも大きくない場合、方法５００は、５１０において、第１のデバイスにフィードバック報告を送るのを控えることを含み得る。
【００５０】
[0055]追加のデータが来つつある場合、およびフィードバックデルタがしきい値よりも大きい場合、方法は、５１２において、第１のデバイスにフィードバック報告を送ることを含み得る。フィードバック報告はフィードバックデルタを含み得る。たとえば、図１では、第２のデバイス１２０は、第１のデバイス１１０にフィードバック報告１６２を送り得る。
【００５１】
[0056]図４〜図５に示されたステップの順序は、説明の目的のためにすぎず、限定と見なされるべきでないことに留意されたい。代替実施形態では、いくつかのステップは、異なる順序で実行され得、および／または同時に（または少なくとも部分的に同時に）実行され得る。
【００５２】
[0057]図６を参照すると、ワイヤレス通信デバイスの特定の例示的な実施形態のブロック図が示されており、全体的に６００と示されている。デバイス６００は、ワイヤレス電子デバイスであり得、メモリ６３２に結合された、デジタル信号プロセッサ（ＤＳＰ）など、プロセッサ６１０を含み得る。例示的な一実施形態では、デバイス６００は、図１の第１のデバイス１１０、図１のデバイス１２０、１３０、または１４０のうちの１つ、または図１の移動局１４５のうちの１つであり得る。
【００５３】
[0058]プロセッサ６１０は、メモリ６３２に記憶されたソフトウェア６６０（たとえば、１つまたは複数の命令のプログラム）を実行するように構成され得る。追加または代替として、プロセッサ６１０は、本明細書でさらに説明するように、ワイヤレスインターフェース６４０のメモリ６７４に記憶された１つまたは複数の命令を実装するように構成され得る。特定の実施形態では、プロセッサ６１０は、図１〜図５に関して説明した動作または方法のうちの１つまたは複数に従って動作するように構成され得る。
【００５４】
[0059]ワイヤレスインターフェース６４０は、アンテナ６４２およびワイヤレスインターフェース６４０を介して受信されたワイヤレスデータがプロセッサ６１０に与えられ得るようにプロセッサ６１０およびアンテナ６４２に結合され得る。たとえば、ワイヤレスインターフェース６４０は、図１のワイヤレスインターフェース１１５または図１のワイヤレスインターフェース１２５を含むか、またはそれに対応し得る。ワイヤレスインターフェース６４０はメモリ６７４とコントローラ６７２とを含み得る。メモリ６７４はフィードバック情報６８０（たとえば、図１のフィードバック情報１１３または１２３）を含み得る。特定の実施形態では、ワイヤレスインターフェース６４０は、それぞれ、アップリンクおよびダウンリンク通信のための変調器６８６および復調器６８８をも含み得る。
【００５５】
[0060]コントローラ６７２は、メモリ６７４に記憶された１つまたは複数の命令を実行するためにプロセッサ６１０とインターフェースするように構成され得る。コントローラ６７２はまた、変調器６８６および／または復調器６８８を実行するためにプロセッサ６１０とインターフェースするように構成され得る。追加または代替として、コントローラ６７２は、メモリ６７４に記憶された命令のうちの１つまたは複数を実行するように構成されたプロセッサを含み得る。ワイヤレスインターフェース６４０および／またはプロセッサ６１０はまた、高速フーリエ変換（ＦＦＴ）および逆ＦＦＴ（ＩＦＦＴ）演算、ビームフォーミング、チャネル測定など、符号化および復号演算を実行するように構成され得る。
【００５６】
[0061]特定の実施形態では、プロセッサ６１０、ディスプレイコントローラ６２６、メモリ６３２、コーデック６３４、およびワイヤレスインターフェース６４０は、システムインパッケージまたはシステムオンチップデバイス６２２中に含まれる。特定の実施形態では、入力デバイス６３０および電源６４４はシステムオンチップデバイス６２２に結合される。その上、特定の実施形態では、図６に示されているように、ディスプレイデバイス６２８、入力デバイス６３０、スピーカー６３６、マイクロフォン６３８、アンテナ６４２、および電源６４４はシステムオンチップデバイス６２２の外部にある。しかしながら、ディスプレイデバイス６２８、入力デバイス６３０、スピーカー６３６、マイクロフォン６３８、アンテナ６４２、および電源６４４の各々は、１つまたは複数のインターフェースまたはコントローラなど、システムオンチップデバイス６２２の１つまたは複数の構成要素に結合され得る。
【００５７】
[0062]開示する実施形態のうちの１つまたは複数は、通信デバイス、固定ロケーションデータユニット、モバイルロケーションデータユニット、モバイルフォン、セルラーフォン、衛星フォン、コンピュータ、タブレット、ポータブルコンピュータ、またはデスクトップコンピュータを含み得る、デバイス６００など、システムまたは装置において実装され得る。さらに、デバイス６００は、セットトップボックス、エンターテインメントユニット、ナビゲーションデバイス、携帯情報端末（ＰＤＡ）、モニタ、コンピュータモニタ、テレビジョン、チューナ、ラジオ、衛星ラジオ、音楽プレーヤ、デジタル音楽プレーヤ、ポータブル音楽プレーヤ、ビデオプレーヤ、デジタルビデオプレーヤ、デジタルビデオディスク（ＤＶＤ）プレーヤ、ポータブルデジタルビデオプレーヤ、データまたはコンピュータ命令を記憶するかまたは取り出す任意の他のデバイス、あるいはそれらの組合せを含み得る。別の例示的な、非限定的な例として、本システムまたは本装置は、モバイルフォン、ハンドヘルドパーソナル通信システム（ＰＣＳ）ユニット、個人情報端末などのポータブルデータユニット、全地球測位システム（ＧＰＳ）対応デバイス、ナビゲーションデバイス、メーター読取り機器などの固定ロケーションデータユニット、あるいはデータまたはコンピュータ命令を記憶するかまたは取り出す任意の他のデバイスなど、リモートユニット、あるいはそれらの任意の組合せを含み得る。
【００５８】
[0063]図１〜図６のうちの１つまたは複数は本開示の教示によるシステム、装置、および／または方法を示し得るが、本開示は、これらの図示されたシステム、装置、および／または方法に限定されない。本開示の実施形態は、メモリと、プロセッサと、オンチップ回路とを含む集積回路を含む任意のデバイスにおいて適切に採用され得る。
【００５９】
[0064]説明する実施形態に関連して、装置は、ビームフォーミング技法を使用して通信するように構成された複数のデバイスを有するワイヤレスネットワークの第２のデバイスにおいてＡＣＫパケットを生成するための手段を含む。ＡＣＫパケットは、第２のデバイスへのビームフォーミングされた送信のためのデータをプリコーディングするために使用可能であるフィードバック情報を含む。たとえば、生成するための手段は、プロセッサ１２１、チャネル測定モジュール１２４、ワイヤレスインターフェース１２５、プロセッサ６１０、ワイヤレスインターフェース６４０（またはそれの構成要素）、パケットを生成するように構成された別のデバイス、またはそれらの任意の組合せを含み得る。本装置はまた、第２のデバイスからワイヤレスネットワークの第１のデバイスにＡＣＫパケットを送るための手段を含む。たとえば、送るための手段は、ワイヤレスインターフェース１２５、ワイヤレスインターフェース６４０（またはそれの構成要素）、アンテナ６４２、パケットを送るように構成された別のデバイス、またはそれらの任意の組合せを含み得る。
【００６０】
[0065]別の装置は、ワイヤレスネットワークの第１のデバイスからワイヤレスネットワークの複数の第２のデバイスにトリガパケットを送るための手段を含む。ワイヤレスネットワークは、ビームフォーミング技法を使用して通信するように構成された複数のデバイスを有する。トリガパケットは、トリガデータに基づいてチャネル測定を実行することを複数の第２のデバイスに行わせるように構成されたトリガデータを含む。特定の実施形態では、トリガパケットは、パケットのデータ部分に続く少なくとも１つのＬＴＦを含む。たとえば、送るための手段は、ワイヤレスインターフェース１１５、ワイヤレスインターフェース６４０（またはそれの構成要素）、アンテナ６４２、パケットを送るように構成された別のデバイス、またはそれらの任意の組合せを含み得る。本装置はまた、トリガパケットに応答して複数の第２のデバイスの各々からフィードバック情報を受信するための手段を含む。たとえば、受信するための手段は、ワイヤレスインターフェース１１５、ワイヤレスインターフェース６４０（またはそれの構成要素）、アンテナ６４２、データを受信するように構成された別のデバイス、またはそれらの任意の組合せを含み得る。
【００６１】
[0066]別の装置は、ワイヤレスネットワークの第２のデバイスにおいて、ワイヤレスネットワークの第１のデバイスからトリガパケットを受信するための手段を含む。ワイヤレスネットワークは、ビームフォーミング技法を使用して通信するように構成された複数のデバイスを有する。たとえば、受信するための手段は、ワイヤレスインターフェース１２５、ワイヤレスインターフェース６４０（またはそれの構成要素）、アンテナ６４２、パケットを受信するように構成された別のデバイス、またはそれらの任意の組合せを含み得る。本装置はまた、トリガパケットを受信したことに応答してチャネル測定を実行するための手段を含み、ここで、チャネル測定が、トリガパケット中に含まれるトリガデータに基づいて実行される。たとえば、チャネル測定を実行するための手段は、プロセッサ１２１、チャネル測定モジュール１２４、ワイヤレスインターフェース１２５、プロセッサ６１０、ワイヤレスインターフェース６４０（またはそれの構成要素）、チャネル測定を実行するように構成された別のデバイス、またはそれらの任意の組合せを含み得る。本装置は、第１のデバイスにフィードバック報告を送るための手段をさらに含み、ここで、フィードバック報告が、チャネル測定に基づくフィードバック情報を含む。たとえば、送るための手段は、ワイヤレスインターフェース１２５、ワイヤレスインターフェース６４０（またはそれの構成要素）、アンテナ６４２、データを送るように構成された別のデバイス、またはそれらの任意の組合せを含み得る。
【００６２】
[0067]さらに、本明細書で開示した実施形態に関して説明した様々な例示的な論理ブロック、構成、モジュール、回路、およびアルゴリズムステップは、電子ハードウェア、プロセッサによって実行されるコンピュータソフトウェア、または両方の組合せとして実装され得ることを、当業者は諒解されよう。様々な例示的な構成要素、ブロック、構成、モジュール、回路、およびステップについて、上記では概して、それらの機能に関して説明した。そのような機能をハードウェアとして実装するか、プロセッサ実行可能命令として実装するかは、特定の適用例および全体的なシステムに課される設計制約に依存する。当業者は、説明した機能を特定の適用例ごとに様々な方法で実装し得るが、そのような実装決定は、本開示の範囲からの逸脱を生じるものと解釈されるべきではない。
【００６３】
[0068]本明細書で開示した実施形態に関して説明した方法またはアルゴリズムのステップは、直接ハードウェアで実施されるか、プロセッサによって実行されるソフトウェアモジュールで実施されるか、またはその２つの組合せで実施され得る。ソフトウェアモジュールは、ランダムアクセスメモリ（ＲＡＭ）、フラッシュメモリ、読取り専用メモリ（ＲＯＭ）、プログラマブル読取り専用メモリ（ＰＲＯＭ）、消去可能プログラマブル読取り専用メモリ（ＥＰＲＯＭ）、電気消去可能プログラマブル読取り専用メモリ（ＥＥＰＲＯＭ（登録商標））、レジスタ、ハードディスク、リムーバブルディスク、コンパクトディスク読取り専用メモリ（ＣＤ−ＲＯＭ）、または当技術分野で知られている任意の他の形態の非一時的記憶媒体中に常駐し得る。例示的な記憶媒体は、プロセッサが記憶媒体から情報を読み取り、記憶媒体に情報を書き込むことができるように、プロセッサに結合される。代替として、記憶媒体はプロセッサと一体であり得る。プロセッサおよび記憶媒体は特定用途向け集積回路（ＡＳＩＣ）中に存在し得る。ＡＳＩＣはコンピューティングデバイスまたはユーザ端末中に存在し得る。代替として、プロセッサおよび記憶媒体は、コンピューティングデバイスまたはユーザ端末中に個別構成要素として存在し得る。
【００６４】
[0069]開示した実施形態の上記の説明は、開示した実施形態を当業者が作成または使用することができるように行ったものである。これらの実施形態への様々な変更は当業者には容易に明らかになり、本明細書で定義した原理は本開示の範囲から逸脱することなく他の実施形態に適用され得る。したがって、本開示は、本明細書に示した実施形態に限定されるものではなく、以下の特許請求の範囲によって定義される原理および新規の特徴に一致する可能な最も広い範囲を与えられるべきである。
以下に、本願の出願当初の特許請求の範囲に記載された発明を付記する。
［Ｃ１］
ビームフォーミング技法を使用して通信するように構成された複数のデバイスを有するワイヤレスネットワークにおいて、前記ワイヤレスネットワークの第１のデバイスから前記ワイヤレスネットワークの複数の第２のデバイスにトリガパケットを送ることと、ここにおいて、前記トリガパケットが、トリガデータに基づいてチャネル測定を実行することを前記複数の第２のデバイスに行わせるように構成された前記トリガデータを含む、
前記トリガパケットに応答して前記複数の第２のデバイスの各々からフィードバック情報を受信することとを備える方法。
［Ｃ２］
前記第１のデバイスが、前記第２のデバイスのうちの１つまたは複数にビームフォーミングされたデータを送るように構成されたアクセスポイント（ＡＰ）を備える、Ｃ１に記載の方法。
［Ｃ３］
前記第２のデバイスのうちの少なくとも１つが、前記第１のデバイスからビームフォーミングされたデータを受信するように構成された移動局を備える、Ｃ１に記載の方法。
［Ｃ４］
前記フィードバック情報が、前記フィードバック情報のために個々の第２のデバイスをポーリングすることなしに、前記複数の第２のデバイスの各々から受信される、Ｃ１に記載の方法。
［Ｃ５］
前記トリガデータが少なくとも１つの非プリコードロングトレーニングフィールド（ＬＴＦ）を含む、Ｃ１に記載の方法。
［Ｃ６］
前記少なくとも１つの非プリコードＬＴＦが前記トリガパケットの末尾に付加される、Ｃ５に記載の方法。
［Ｃ７］
前記少なくとも１つの非プリコードＬＴＦが前記パケットのデータ部分に続く、Ｃ５に記載の方法。
［Ｃ８］
前記トリガパケットがマルチユーザ多入力多出力（ＭＵ−ＭＩＭＯ）パケットを備える、Ｃ１に記載の方法。
［Ｃ９］
前記トリガパケットが高効率ｗｉ−ｆｉ（ＨＥＷ）ＭＵ−ＭＩＭＯパケットを備える、Ｃ８に記載の方法。
［Ｃ１０］
前記トリガパケットが送信可（ＣＴＸ）パケットを備える、Ｃ１に記載の方法。
［Ｃ１１］
前記トリガパケットがビーコンフレームを備える、Ｃ１に記載の方法。
［Ｃ１２］
前記トリガパケットのプリアンブルは、前記トリガデータが前記トリガパケット中に含まれることを示す、Ｃ１に記載の方法。
［Ｃ１３］
前記トリガパケットが、少なくとも１つの第２のデバイスを識別するか、前記トリガパケットのソースとして前記第１のデバイスを識別するか、またはその両方である、Ｃ１に記載の方法。
［Ｃ１４］
前記複数の第２のデバイスに少なくとも１つのマルチユーザ多入力多出力（ＭＵ−ＭＩＭＯ）パケットを送ることをさらに備える、Ｃ１に記載の方法。
［Ｃ１５］
前記少なくとも１つのＭＵ−ＭＩＭＯパケットが特定の第２のデバイスのためのデータを含み、ここにおいて、前記特定の第２のデバイスのための前記データが、前記特定の第２のデバイスから受信された前記フィードバック情報に基づいてプリコーディングされる、Ｃ１４に記載の方法。
［Ｃ１６］
前記ワイヤレスネットワークが、電気電子技術者協会（ＩＥＥＥ）８０２．１１高効率ｗｉ−ｆｉ（ＨＥＷ）規格に従って動作する、Ｃ１に記載の方法。
［Ｃ１７］
プロセッサによって実行されたとき、
ワイヤレスネットワークの第２のデバイスにおいて、前記ワイヤレスネットワークの第１のデバイスからトリガパケットを受信することと、ここにおいて、前記ワイヤレスネットワークが、ビームフォーミング技法を使用して通信するように構成された複数のデバイスを含む、
前記トリガパケットを受信したことに応答してチャネル測定を実行することと、ここにおいて、前記チャネル測定が、前記トリガパケット中に含まれるトリガデータに基づいて実行される、
前記第１のデバイスにフィードバック報告を送ることと、ここにおいて、前記フィードバック報告が、前記チャネル測定に基づくフィードバック情報を含む、を備える動作を実行することを前記プロセッサに行わせる命令を記憶するコンピュータ可読記憶デバイス。
［Ｃ１８］
前記フィードバック報告が、前記第２のデバイスへのビームフォーミングされた送信のためのデータをプリコーディングするために使用可能であるフィードバック情報を含む、Ｃ１７に記載のコンピュータ可読記憶デバイス。
［Ｃ１９］
前記動作は、前記第２のデバイスのためのデータが前記第１のデバイスによって送られるべきであることを前記トリガパケットが示すと決定したことに応答して前記フィードバック報告を送ることをさらに備える、Ｃ１７に記載のコンピュータ可読記憶デバイス。
［Ｃ２０］
前記動作は、前記フィードバック情報が、前記第１のデバイスに送られた前のフィードバック報告中に含まれる前のフィードバック情報に関して少なくともしきい値量だけ変化したと決定したことに応答して前記フィードバック報告を送ることをさらに備える、Ｃ１７に記載のコンピュータ可読記憶デバイス。
［Ｃ２１］
前記フィードバック情報が、前記第１のデバイスに送られた前のフィードバック報告中に含まれる前のフィードバック情報に関するデルタ情報を備える、Ｃ１７に記載のコンピュータ可読記憶デバイス。
［Ｃ２２］
前記フィードバック報告が肯定応答（ＡＣＫ）パケット中に含まれる、Ｃ１７に記載のコンピュータ可読記憶デバイス。
［Ｃ２３］
前記フィードバック報告が、少なくとも１つの追加のデバイスからの少なくとも１つの追加のフィードバック報告を含むマルチユーザ多入力多出力（ＭＵ−ＭＩＭＯ）パケット中に含まれる、Ｃ１７に記載のコンピュータ可読記憶デバイス。
［Ｃ２４］
前記フィードバック報告が、少なくとも１つの追加のデバイスからの少なくとも１つの追加のフィードバック報告を含む直交周波数分割多元接続（ＯＦＤＭＡ）パケット中に含まれる、Ｃ１７に記載のコンピュータ可読記憶デバイス。
［Ｃ２５］
前記フィードバック報告が省電力（ＰＳ）ポールフレーム中に含まれる、Ｃ１７に記載のコンピュータ可読記憶デバイス。
［Ｃ２６］
前記ワイヤレスネットワークが、電気電子技術者協会（ＩＥＥＥ）８０２．１１高効率ｗｉ−ｆｉ（ＨＥＷ）規格に従って動作する、Ｃ１７に記載のコンピュータ可読記憶デバイス。
［Ｃ２７］
プロセッサと、
前記プロセッサによって実行されたとき、ビームフォーミング技法を使用して通信するように構成された複数のデバイスを有するワイヤレスネットワークを介して、前記ワイヤレスネットワークの第１のデバイスから前記ワイヤレスネットワークの第２のデバイスにパケットを送ることを備える動作を実行することを前記プロセッサに行わせる命令を記憶するメモリとを備え、
ここにおいて、前記パケットが、前記パケットのデータ部分に続く少なくとも１つのロングトレーニングフィールド（ＬＴＦ）を含む、装置。
［Ｃ２８］
前記動作が、フィードバック情報のために個々の第２のデバイスをポーリングすることなしに、複数の第２のデバイスから前記フィードバック情報を受信することをさらに備える、Ｃ２７に記載の装置。
［Ｃ２９］
ビームフォーミング技法を使用して通信するように構成された複数のデバイスを有するワイヤレスネットワークの第２のデバイスにおいて肯定応答（ＡＣＫ）パケットを生成するための手段と、ここにおいて、前記ＡＣＫパケットが、前記第２のデバイスへのビームフォーミングされた送信のためのデータをプリコーディングするために使用可能であるフィードバック情報を含む、
前記第２のデバイスから前記ワイヤレスネットワークの第１のデバイスに前記ＡＣＫパケットを送るための手段とを備える装置。
［Ｃ３０］
前記フィードバック情報が、前記第２のデバイスにおいて実行されるチャネル測定に基づく、Ｃ２９に記載の装置。
【図１】
0006599333.tif 000002
【図２】
0006599333.tif 000003
【図３】
0006599333.tif 000004
【図４】
0006599333.tif 000005
【図５】
0006599333.tif 000006
【図６】
0006599333.tif 000007